(57)【要約】【課題】  演奏した楽音情報を記録する電子楽器において、鍵盤の押鍵に同期して録音をスタートする場合の最初の音の録音もれを防止することを課題とする。【解決手段】  演奏操作に応じて演奏情報を出力するための演奏操作子（１０３）と、演奏情報に基づく楽音情報をディレイするディレイ手段（１０９）と、演奏操作子の演奏操作に同期してディレイされた楽音情報を光ディスクに記録する記録手段（１１０）とを有する電子楽器が提供される。【選択図】        図１
2006039261.tif 000002
【特許請求の範囲】
【請求項１】
演奏操作に応じて演奏情報を出力するための演奏操作子と、
前記演奏情報に基づく楽音情報をディレイするディレイ手段と、
前記演奏操作子の演奏操作に同期して前記ディレイされた楽音情報を光ディスクに記録する記録手段と
を有する電子楽器。
【請求項２】
前記ディレイ手段は、前記楽音情報を常に一定時間ディレイする請求項１記載の電子楽器。
【請求項３】
前記記録手段は、録音終了が指示されると、直ちに録音を終了せずに前記ディレイの時間に対応する時間経過後に前記ディレイされた楽音情報の記録を終了する請求項１又は２記載の電子楽器。
【請求項４】
前記ディレイ手段は、前記楽音情報をディレイする時間が時間経過に従って短くなる請求項１記載の電子楽器。
【請求項５】
前記記録手段は、録音終了が指示されると、直ちに録音を終了する請求項４記載の電子楽器。
【請求項６】
前記ディレイ手段はＤＳＰであり、
さらに、前記演奏操作の前に録音モードの設定が指示されると、ディレイのためのプログラムを前記ＤＳＰに供給するＤＳＰ制御手段を有する請求項４又は５記載の電子楽器。
【請求項７】
前記ＤＳＰ制御手段は、前記ディレイ時間が０になると、ディレイとは異なる他のプログラムを前記ＤＳＰに供給する請求項６記載の電子楽器。
【請求項８】
前記他のプログラムは、楽音にディレイ以外の他の効果を付与するためのプログラムである請求項７記載の電子楽器。
【請求項９】
前記楽音情報は楽音波形であり、
さらに、前記演奏情報を基に楽音波形を生成する音源を有する請求項１〜８のいずれか１項に記載の電子楽器。
【請求項１０】
前記楽音情報は、ＭＩＤＩデータである請求項１〜８のいずれか１項に記載の電子楽器。
【請求項１１】
前記記録手段は、コンパクトディスクに記録するＣＤレコーダである請求項１〜１０のいずれか１項に記載の電子楽器。
【請求項１２】
前記演奏操作子は鍵盤である請求項１〜１１のいずれか１項に記載の電子楽器。
【発明の詳細な説明】
【技術分野】
【０００１】
本発明は、電子楽器に関し、特に録音機能を有する電子楽器に関する。
【背景技術】
【０００２】
電子楽器には、録音開始スイッチを押した後に、演奏した楽音波形を録音する機能を有するものがある。また、鍵盤の押鍵に同期（シンクロ）して録音を開始するものもある。  演奏した楽音波形を記録するＣＤ（コンパクトディスク）レコーダをもつ電子楽器では、鍵盤の押鍵に同期して演奏した楽音波形の録音をスタートする。その場合、押鍵をトリガにしてＣＤレコーダに録音開始命令を行うので、録音が実際に開始されるまでにタイムラグが発生する。そのため、トリガになった押鍵による音を最初から録音できないという録音もれの問題がある。
【０００３】
また、下記の特許文献１には、カラオケ曲の演奏とともにビデオカメラで撮影した映像がビデオＣＤレコーダによりビデオＣＤに記録されるカラオケ装置が記載されている。
【０００４】
【特許文献１】特開平１０−３０１５８６号公報
【発明の開示】
【発明が解決しようとする課題】
【０００５】
本発明の目的は、演奏した楽音情報を記録する電子楽器において、鍵盤の押鍵に同期して録音をスタートする場合の最初の音の録音もれを防止することである。
【課題を解決するための手段】
【０００６】
本発明の電子楽器は、演奏操作に応じて演奏情報を出力するための演奏操作子と、演奏情報に基づく楽音情報をディレイするディレイ手段と、演奏操作子の演奏操作に同期してディレイされた楽音情報を光ディスクに記録する記録手段とを有する。
【発明の効果】
【０００７】
演奏操作に同期して記録を開始する際に、楽音情報をディレイして記録することにより、最初の演奏操作に基づく楽音情報をもれなく記録することができる。
【発明を実施するための最良の形態】
【０００８】
（第１の実施形態）
図１は、本発明の第１の実施形態による電子楽器の構成例を示すブロック図である。パネルスイッチ１０１は、録音モードを設定するための録音モードスイッチ、及び録音を終了するための録音終了スイッチを有する。鍵盤１０３は、演奏操作子であり、演奏者の演奏操作に応じて演奏情報を鍵盤制御部１０４に出力する。押鍵すればキーオン情報（音高情報を含む）を出力し、離鍵すればキーオフ情報（音高情報を含む）を出力する。音源１０８は、演奏情報を基に楽音波形を生成する。サウンドシステム１１１は、Ｄ／Ａ変換器、アンプ及びスピーカを有し、楽音波形をデジタル形式からアナログ形式に変換し、増幅し、スピーカから発音する。なお、サウンドシステム１１１は、ヘッドホンでもよい。ＤＳＰ（デジタルシグナルプロセッサ）１０９は、ＤＳＰ制御部１０６から供給されるプログラムに応じて、種々の処理を行うことができる。ＣＤ（コンパクトディスク）レコーダ１１０は、楽音波形をＣＤに記録することができる。
【０００９】
図２は、本実施形態による電子楽器の動作を説明するためのタイムチャートである。
時刻ｔ１において、電子楽器の電源を投入すると、ＤＳＰ制御部１０６は、楽音波形をディレイするためのプログラムをＤＳＰ１０９に供給する。
【００１０】
次に、時刻ｔ２では、演奏者がパネルスイッチ１０１上の録音モードスイッチを押すとする。すると、パネル制御部１０２は、その操作を検出し、録音のシンクロスタート待機状態となる。
【００１１】
次に、時刻ｔ３では、演奏者が鍵盤１０３を押鍵するとする。その押鍵は、録音のシンクロスタートのトリガになると共に、その押鍵に基づく楽音波形も録音の対象になる。本実施形態では、この押鍵に基づく楽音波形ももれなく録音することを目的としている。鍵盤制御部１０４は、鍵盤１０３の押鍵（演奏情報）を検出し、音源制御部１０５に演奏情報を出力し、ＣＤレコーダ制御部１０７及びパネル制御部１０２にシンクロスタート命令を出力する。
【００１２】
ＣＤレコーダ制御部１０７は、シンクロスタート命令を入力すると、ＣＤレコーダ１１０に録音開始命令を出力し、録音開始を指示する。ただし、ＣＤレコーダ１１０は、録音開始命令を入力してから、録音が実際に開始されるまでにタイムラグを有する。パネル制御部１０２は、シンクロスタート命令を入力し、シンクロスタートによる録音中であることを認識する。
【００１３】
音源制御部１０５は、演奏情報を入力すると、音源１０８に楽音パラメータを出力する。音源１０８は、楽音パラメータに基づき楽音波形を生成し、サウンドシステム１１１及びＤＳＰ１０９の２方向に出力する。サウンドシステム１１１は、楽音波形２０１をディレイなしにそのまま発音する。ＤＳＰ１０９は、楽音波形２０１を常に一定時間Ｄ１ディレイし、楽音波形２０２をＣＤレコーダ１１０へ出力する。ディレイ時間Ｄ１は、ＣＤレコーダ１１０の録音開始命令に対するオーバーヘッド時間に対応する時間である。
【００１４】
時刻ｔ４は、シンクロスタートのための押鍵の時刻ｔ３からディレイ時間Ｄ１経過後の時刻である。時刻ｔ４では、ディレイされた楽音波形２０２がＣＤレコーダ１１０に入力され始める。ＣＤレコーダ１１０は、ディレイされた楽音波形２０２を録音する。これにより、シンクロスタートのための押鍵を含め、最初からすべての演奏操作に基づく楽音波形をもれなく録音することが可能になる。その後、演奏者が鍵盤１０３を演奏操作すると、その演奏操作に基づく楽音波形２０１がサウンドシステム１１１にてディレイなしに発音されると共に、その楽音波形２０１がディレイされた楽音波形２０２がＣＤレコーダ１１０に記録される。
【００１５】
次に、時刻ｔ５において、演奏者がパネルスイッチ１０１上の録音終了スイッチを押すとする。ＤＳＰ１０９のディレイ処理により、サウンドシステム１１１の聴感上の消音とＣＤレコーダ１１０の録音データの消音とにズレがある。そのため、聴感上の消音時に即時に録音停止すると、録音データに音切れが生じることが予想される。そこで、パネル制御部１０２は、パネルスイッチ１０１上の録音終了スイッチの録音終了操作を時刻ｔ５で検出すると、シンクロスタートによる録音中である場合、ＤＳＰ１０９のディレイ時間Ｄ１を考慮した待ち時間Ｄ１後の時刻ｔ６に、ＣＤレコーダ制御部１０７に録音終了命令を出力する。ＣＤレコーダ制御部１０７は、その録音終了命令を入力すると、ＣＤレコーダ１１０の録音を終了する。ＣＤレコーダ１１０は、シンクロスタートから録音終了スイッチが押されるまでのすべての演奏操作に基づく楽音波形を録音することができる。
【００１６】
以上のように、第１の実施形態では、時刻ｔ５で演奏者により録音終了が指示されると、ＣＤレコーダ１１０は直ちに録音を終了せずにディレイ時間Ｄ１に対応する時間経過後の時刻ｔ６にディレイされた楽音波形２０２の記録を終了する。
【００１７】
（第２の実施形態）
図３は、本発明の第２の実施形態による電子楽器の構成例を示すブロック図である。本実施形態の構成は、第１の実施形態（図１）と基本的に同じであるが、パネル制御部１０２及び鍵盤制御部１０４がＤＳＰ制御部１０６を制御する点が異なる。
【００１８】
図４は、本実施形態による電子楽器の動作を説明するためのタイムチャートである。
時刻ｔ１において、電子楽器の電源を投入するとする。
次に、時刻ｔ２では、演奏者がパネルスイッチ１０１上の録音モードスイッチを押すとする。すると、パネル制御部１０２は、その操作を検出し、録音のシンクロスタート待機状態となり、シンクロスタート待機命令をＤＳＰ制御部１０６に出力する。ＤＳＰ制御部１０６は、シンクロスタート待機命令を入力すると、ＤＳＰ１０９にＣＤレコーダ１１０の録音開始命令に対するオーバーヘッド時間に対応したディレイ時間のディレイプログラムを転送しておく。ＤＳＰ１０９は、ディレイプログラムを入力し、ディレイ処理が可能になる。
【００１９】
次に、時刻ｔ３では、演奏者が鍵盤１０３を押鍵するとする。その押鍵は、録音のシンクロスタートのトリガになると共に、その押鍵に基づく楽音波形も録音の対象になる。本実施形態でも、この押鍵に基づく楽音波形をもれなく録音することを目的としている。鍵盤制御部１０４は、鍵盤１０３の押鍵（演奏情報）を検出し、音源制御部１０５に演奏情報を出力し、ＣＤレコーダ制御部１０７、ＤＳＰ制御部１０６及びパネル制御部１０２にシンクロスタート命令を出力する。
【００２０】
ＣＤレコーダ制御部１０７は、シンクロスタート命令を入力すると、ＣＤレコーダ１１０に録音開始命令を出力し、録音開始を指示する。ただし、ＣＤレコーダ１１０は、録音開始命令を入力してから、録音が実際に開始されるまでにタイムラグを有する。パネル制御部１０２は、シンクロスタート命令を入力すると、シンクロスタート待ち状態を解消する。
【００２１】
ＤＳＰ制御部１０６は、シンクロスタート命令を入力すると、録音データの再生時に違和感がない程度にディレイ時間を徐々に短縮しながらディレイ時間設定命令をＤＳＰ１０９に送り、ディレイ時間が０になる時刻ｔ５まで続け、０になったらＤＳＰ１０９をディレイ以外の他の効果に使用できるようにする。
【００２２】
時刻ｔ５では、ＤＳＰ制御部１０６は、上記の他の効果（コーラスやリバーブ等）のプログラムをＤＳＰ１０９に供給することができる。ＤＳＰ１０９は、種々の処理ができるのに、ディレイプログラムを常駐させておくのはもったいない。時刻ｔ５以降では、ＤＳＰ１０９に他のプログラムを供給することにより、他の処理を行わせ、ＤＳＰ１０９を有効利用することができる。
【００２３】
音源制御部１０５は、演奏情報を入力すると、音源１０８に楽音パラメータを出力する。音源１０８は、楽音パラメータに基づき楽音波形を生成し、サウンドシステム１１１及びＤＳＰ１０９の２方向に出力する。サウンドシステム１１１は、楽音波形４０１をディレイなしにそのまま発音する。ＤＳＰ１０９は、楽音波形４０１をディレイする時間Ｄ１が時間経過に従って短くなるように楽音波形４０１をディレイし、楽音波形４０２をＣＤレコーダ１１０へ出力する。ディレイ時間Ｄ１は、ＣＤレコーダ１１０の録音開始命令に対するオーバーヘッド時間に対応する時間である。ディレイ時間Ｄ１は、時間経過に従って短くなり、時刻ｔ５で０になる。
【００２４】
時刻ｔ４は、シンクロスタートのための押鍵の時刻ｔ３からディレイ時間Ｄ１経過後の時刻である。時刻ｔ４では、ディレイされた楽音波形４０２がＣＤレコーダ１１０に入力され始める。ＣＤレコーダ１１０は、ディレイされた楽音波形４０２を録音する。これにより、シンクロスタートのための押鍵を含め、最初からすべての演奏操作に基づく楽音波形をもれなく録音することが可能になる。その後、演奏者が鍵盤１０３を演奏操作すると、その演奏操作に基づく楽音波形４０１がサウンドシステム１１１にてディレイなしに発音されると共に、その楽音波形４０１がディレイされた楽音波形４０２がＣＤレコーダ１１０に記録される。
【００２５】
次に、時刻ｔ６において、演奏者がパネルスイッチ１０１上の録音終了スイッチを押すとする。時刻ｔ６ではディレイ時間が０であるので、サウンドシステム１１１の聴感上の音とＣＤレコーダ１１０の録音データの音とにズレがない。パネル制御部１０２は、パネルスイッチ１０１上の録音終了スイッチの録音終了操作を検出すると、直ちにＣＤレコーダ制御部１０７に録音終了命令を出力する。ＣＤレコーダ制御部１０７は、その録音終了命令を入力すると、ＣＤレコーダ１１０の録音を終了する。ＣＤレコーダ１１０は、シンクロスタートから録音終了スイッチが押されるまでのすべての演奏操作に基づく楽音波形を録音することができる。
【００２６】
以上のように、第２の実施形態では、ＣＤレコーダ１１０は、演奏者により録音終了が指示されると、直ちに録音を終了する。
【００２７】
なお、第１及び第２の実施形態では、演奏操作子の例として鍵盤を例に説明したが、鍵盤以外の演奏操作子を用いてもよい。また、音源１０８の出力である楽音波形をＣＤレコーダ１１０に記録する場合を例に説明したが、ＭＩＤＩ（Musical Instrument Digital Interface）データをＣＤレコーダ１１０に記録するようにしてもよい。ＭＩＤＩデータは、鍵盤１０３の演奏操作を基に生成される楽音情報である。すなわち、ＣＤレコーダ１１０に記録される楽音情報は、楽音波形でもＭＩＤＩデータでもよい。また、記録開始命令に対するオーバーヘッド時間が長い記録手段の例としてＣＤレコーダ１１０を例に説明したが、ＣＤ、ＭＤ（ミニディスク）及びＤＶＤ（Digital Versatile Disk）を含む光ディスクに記録する光ディスクレコーダに適用することができる。
【００２８】
以上のように、第１及び第２の実施形態の電子楽器によれば、演奏操作に応じて演奏情報を出力するための演奏操作子（鍵盤）１０３と、演奏情報に基づく楽音情報をディレイするディレイ手段（ＤＳＰ）１０９と、演奏操作子の演奏操作に同期（シンクロスタート）してディレイされた楽音情報を光ディスク（ＣＤ）に記録する記録手段（ＣＤレコーダ）１１０とを有する。演奏操作に同期して記録を開始する際に、楽音情報をディレイして記録することにより、最初の演奏操作に基づく楽音情報をもれなく記録することができる。
【００２９】
上記実施形態は、何れも本発明を実施するにあたっての具体化の例を示したものに過ぎず、これらによって本発明の技術的範囲が限定的に解釈されてはならないものである。すなわち、本発明はその技術思想、またはその主要な特徴から逸脱することなく、様々な形で実施することができる。
【図面の簡単な説明】
【００３０】
【図１】本発明の第１の実施形態による電子楽器の構成例を示すブロック図である。
【図２】第１の実施形態による電子楽器の動作を説明するためのタイムチャートである。
【図３】本発明の第２の実施形態による電子楽器の構成例を示すブロック図である。
【図４】第２の実施形態による電子楽器の動作を説明するためのタイムチャートである。
【符号の説明】
【００３１】
１０１  パネルスイッチ
１０２  パネル制御部
１０３  鍵盤
１０４  鍵盤制御部
１０５  音源制御部
１０６  ＤＳＰ制御部
１０７  ＣＤレコーダ制御部
１０８  音源
１０９  ＤＳＰ
１１０  ＣＤレコーダ
１１１  サウンドシステム
【図１】
2006039261.tif 000003
【図２】
2006039261.tif 000004
【図３】
2006039261.tif 000005
【図４】
2006039261.tif 000006